Podtech/llm-jp-corpus-v4-ja_patent huggingface dataset:
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
一体型メトロロジツールを有する印刷ツールと、
前記印刷ツールに接続され、前記印刷ツールによって製造されるウエハ上でメトロロジ測定を実行するように構成された独立型メトロロジツールと、
を備えるリソグラフィシステムであって、
前記リソグラフィシステムが、前記一体型メトロロジツールを前記独立型メトロロジツールに接続する監視チャネルをさらに備え、前記一体型メトロロジツールが、前記一体型メトロロジツールと前記独立型メトロロジツールの間でメトロロジ測定を割り当て、前記印刷ツールの規定の時間的制限に対する前記割当ておよび前記メトロロジ測定を監視するようにさらに構成されるリソグラフィシステム。
【請求項２】
請求項１に記載のリソグラフィシステムであって、前記監視することが、前記規定の時間的制限に応じて、メトロロジ測定レシピを調整することを含むリソグラフィシステム。
【請求項３】
請求項１に記載のリソグラフィシステムであって、前記リソグラフィシステムのためにメトロロジ測定レシピを最適化するように構成されたメトロロジツールに、前記一体型メトロロジツールを接続する最適化チャネルをさらに備えるリソグラフィシステム。
【請求項４】
請求項３に記載のリソグラフィシステムであって、前記メトロロジツールが前記独立型メトロロジツールであるリソグラフィシステム。
【請求項５】
請求項１に記載のリソグラフィシステムであって、前記印刷ツールのプロセスパラメータを最適化するように構成されたプロセス制御ソフトウェアに、前記一体型メトロロジツールを接続するプロセス制御チャネルをさらに備えるリソグラフィシステム。
【請求項６】
請求項１に記載のリソグラフィシステムであって、メトロロジ測定ランドスケープに応じて前記印刷ツールのプロセスパラメータをグループ化するように構成されたグループ化モジュールに、前記一体型メトロロジツールを接続するグループ化チャネルをさらに備えるリソグラフィシステム。
【請求項７】
請求項６に記載のリソグラフィシステムであって、前記メトロロジ測定ランドスケープが、前記それぞれのメトロロジツールによって導き出された、少なくとも１つのレシピパラメータに対する少なくとも１つのメトロロジメトリックの少なくとも部分的に連続した依存性であるリソグラフィシステム。
【請求項８】
請求項１に記載のリソグラフィシステムであって、メトロロジ測定ランドスケープに応じて前記印刷ツールのプロセスパラメータをグループ化するように構成されたグループ化モジュールに、前記独立型メトロロジツールを接続するグループ化チャネルをさらに備えるリソグラフィシステム。
【請求項９】
請求項８に記載のリソグラフィシステムであって、前記メトロロジ測定ランドスケープが、前記それぞれのメトロロジツールによって導き出された、少なくとも１つのレシピパラメータに対する少なくとも１つのメトロロジメトリックの少なくとも部分的に連続した依存性であるリソグラフィシステム。
【請求項１０】
リソグラフィ印刷ツールの一体型メトロロジツールによって、前記印刷ツールの規定の時間的制限に対する前記一体型メトロロジツールおよび独立型メトロロジツールによるメトロロジ測定を、割当ておよび監視するステップを含み、前記監視するステップが、前記規定の時間的制限に応じて、メトロロジ測定レシピを調整するステップを含む方法。
【請求項１１】
請求項１０に記載の方法であって、少なくとも前記一体型メトロロジツールによるメトロロジ測定に基づいて、前記印刷ツールのプロセスパラメータをプロセス制御ソフトウェアによって最適化するステップをさらに含む方法。
【請求項１２】
請求項１０に記載の方法であって、メトロロジ測定のランドスケープに応じて、前記印刷ツールのプロセスパラメータをグループ化するステップをさらに含む方法。
【請求項１３】
請求項１２に記載の方法であって、少なくとも前記一体型メトロロジツールにより、前記メトロロジ測定のランドスケープを導き出すステップをさらに含む方法。
【請求項１４】
請求項１０に記載の方法であって、少なくとも部分的にコンピュータプロセッサによって実行される方法。
【請求項１５】
コンピュータ読取り可能プログラムを有する非一時的なコンピュータ読取り可能記憶媒体を備えるコンピュータプログラム製品であって、前記コンピュータ読取り可能プログラムが、請求項１０に記載の方法を実行するように構成されることを特徴とするコンピュータプログラム製品。
【請求項１６】
請求項１０に記載の方法であって、前記調整するステップが、前記規定の時間的制限に応じて、メトロロジ測定レシピを最適化するステップを含む方法。
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
携帯装置（１００）の表示画面（２００）に対して搭載して、前記携帯装置（１００）の前記表示画面上に表示される情報を現実に投影することにより、前記携帯装置を携帯拡張現実装置するためのアクセサリ（２）であって、
ハウジング（１０２）であって、表面および裏面と、前記表面から前記裏面に延びる表開口（１０３）であって当該表開口によってユーザが拡張現実を体感できる前記表開口（１０３）と、前記裏面上の裏表面（１０９）とを有する前記ハウジング（１０２）であって、前記表示画面（２００）の一部分（２０１）に前記裏開口を重ね合わせることで前記携帯装置に機械的に取り付けるように構成された前記ハウジング（１０２）と、
前記表面と前記裏面との間の前記表開口内に配置された半透明ミラー（１０６）と、
前記ハウジング内の観察光学素子（１０４、１０８）であって、前記携帯装置で生成されて、前記表示画面の前記一部分で表示される情報の画像を前記アクセサリの前記裏面を通して取得するように構成され、更に、ユーザの目（２０３）を前記情報の画像に向けさせるために前記半透明ミラー（１０６）上で前記情報の画像を前記現実に投影するように構成されることにより、前記携帯装置上に搭載された前記アクセサリで前記携帯装置を保持する前記ユーザが、前記アクセサリの前記表開口を通して、前記現実に重ね合わされた前記情報の画像を見ることができる、前記観察光学素子と、
を備えた、アクセサリ。
【請求項２】
前記携帯装置（１００）がスマートフォンである、請求項１に記載のアクセサリ。
【請求項３】
携帯装置（１００）の表示画面に対して搭載して、前記携帯装置（１００）の前記表示画面上に表示される情報を現実に投影することにより、前記携帯装置を携帯拡張現実装置するためのアクセサリ（２）であって、
前記携帯装置に機械的に取り付けるように構成されたハウジング（１０２）と、
ユーザが前記現実を体感できるように、部分的に透過である前記ハウジング内のシースルーディスプレイ（２３）と、
前記ハウジング内のコントローラ（２１）であって、前記情報を表す電気信号を前記携帯装置から受信し、当該電気信号を画像に変換するように構成されたコントローラ（２１）と、
前記ハウジング内の観察光学素子（３０）であって、前記携帯装置上に搭載された前記アクセサリで携帯装置を保持するユーザが、前記アクセサリの前記表開口を通して、前記現実に重ね合わされた前記情報の画像を見る部分的に透明な前記シースルーディスプレイ（２３）を介して、前記情報の画像を前記現実に光学的に投影するように構成された前記観察光学素子と、
を備えた、アクセサリ。
【請求項４】
前記コントローラ（２１）は、前記携帯装置のデータバスに接続されており、前記コントローラ（２１）は、前記情報を表すデータ信号を前記携帯装置から受信し、前記情報を表す前記画像を表示するマイクロディスプレイ（２７）に変換されたビデオ信号を供給し、
前記観察光学素子は、結合型光学素子であり、当該結合型光学素子は、前記シースルーディスプレイ（２３）に対して、前記マイクロディスプレイによって生成される前記画像を光学的に投影する、
請求項３に記載のアクセサリ。
【請求項５】
前記マイクロディスプレイ（２７）は、液晶オンシリコンであり、前記データ信号は、パルス幅変調器（２８）に供給されて、前記マイクロディスプレイの照明の輝度を制御するように構成される、請求項４に記載のアクセサリ。
【請求項６】
前記シースルーディスプレイは光導波路である、請求項３から５のいずれか一項に記載のアクセサリ。
【請求項７】
前記観察光学素子は、
前記表示画面（２００）に向けられた反射面を有することにより、光を前記表示画面から光学素子（１０８）に向けることができ、当該光学素子は、好ましくは無限遠で前記表示画面上に表示される前記情報の画像を作成するように構成された、ミラー（１０４）と、
を備える、請求項１または請求項２に記載のアクセサリ。
【請求項８】
前記光学素子（１０８）は、一対の光学ダブレット（１０８'、１０８”）を有し、当該光学ダブレットは、前記ミラー（１０４）を通じて、タブレットでの合成後の焦点面の像が前記表示画面（２００）と一致するように構成される、請求項７に記載のアクセサリ。
【請求項９】
前記光学素子（１０８）は、当該光学素子を移動させるための集光機構と一体化または結合することにより、表示された情報が、無限遠よりも近い距離、好ましくは数メートルまで近づき、これにより、屋内アプリケーション用のビューアとして使用することができる、請求項７または８に記載のアクセサリ。
【請求項１０】
更に、前記光学素子の視野の端部における歪みおよび収差を補正するように構成される視野レンズ（１０７）を備える、請求項１または請求項２に記載のアクセサリ。
【請求項１１】
前記ハウジングは、前記表示画面の縮小部分の画像を取得できるように配置されており、前記表示画面の残りの部分は、前記ハウジングによっては覆い隠さない、請求項１または請求項２に記載のアクセサリ。
【請求項１２】
更に、前記携帯装置によって表示された特定のオブジェクトの高解像度画像を取得し、当該高解像度画像を現実に重ね合わせるように構成された、請求項１から１１のいずれか一項に記載のアクセサリ。
【請求項１３】
データベースから前記オブジェクトの前記高解像度画像を抽出し、当該画像を変換することによって、前記携帯装置の位置から見えるようになり、ユーザよって電子ズームインおよび電子ズームアウトの操作が可能になる、請求項１２に記載のアクセサリ。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
対象にて疼痛を管理をするための経皮送達デバイスであって、
デクスメデトミジン及び感圧接着剤を含むデクスメデトミジン組成物と、
裏打ち層と
を含む、前記デバイス。
【請求項２】
前記疼痛が、手術疼痛、周術期疼痛、術後疼痛、がんの疼痛、急性疼痛、慢性疼痛、侵害受容性疼痛、体性痛、内臓痛、神経障害性疼痛、陣痛、またはそれらの組み合わせから成る群から選択される請求項１に記載の経皮送達デバイス。
【請求項３】
前記手術疼痛が、骨モデル外科処置または軟組織モデル外科処置から生じる請求項２に記載の経皮送達デバイス。
【請求項４】
前記手術疼痛が、胸骨正中切開術、腹腔鏡検査、乳腺切除術、関節形成術、骨切り術、がん手術、膝手術、及び肩手術から成る群から選択される外科処置から生じる請求項３に記載の経皮送達デバイス。
【請求項５】
前記外科処置が骨切り術である請求項３に記載の経皮送達デバイス。
【請求項６】
前記骨切り術が腱膜瘤切除術である請求項５に記載の経皮送達デバイス。
【請求項７】
前記外科処置より１２時間〜２４時間前の時に前記対象の前記皮膚表面に適用される請求項２〜６のいずれか１項に記載の経皮送達デバイス。
【請求項８】
１５０ｍｃｇ〜６００ｍｃｇの７２時間にわたる平均吸収量のデクスメデトミジンを提供するのに十分な方法で前記対象の前記皮膚表面と接触して維持される請求項１に記載の経皮送達デバイス。
【請求項９】
１ｍｃｇ／時間〜１０ｍｃｇ／時間の７２時間にわたる平均デクスメデトミジン吸収を提供するのに十分な方法で前記対象の前記皮膚表面と接触して維持される請求項１に記載の経皮送達デバイス。
【請求項１０】
５０ｐｇ／ｍＬ〜２５０ｐｇ／ｍＬの７２時間にわたる平均最大血漿濃度のデクスメデトミジンを提供するのに十分な方法で前記対象の前記皮膚表面と接触して維持される請求項１に記載の経皮送達デバイス。
【請求項１１】
３０００時間×ｐｇ／ｍＬ〜１００００時間×ｐｇ／ｍＬの７２時間にわたる血漿デクスメデトミジンの濃度曲線下平均面積を提供するのに十分な方法で前記対象の前記皮膚表面と接触して維持される請求項１に記載の経皮送達デバイス。
【請求項１２】
ある量の水分補給流体を前記対象に投与することと組み合わされる、請求項１に記載の経皮送達デバイス。
【請求項１３】
第１の点滴速度で第１の所定の時間、前記対象に前記水分補給流体が投与され、
第２の点滴速度で第２の所定の時間、前記対象に前記水分補給流体を投与される請求項１２に記載の経皮送達デバイス。
【請求項１４】
前記対象にオピオイドを同時投与することと組み合わされる請求項１に記載の経皮送達デバイス。
【請求項１５】
前記オピオイドがオキシコドンである請求項１４に記載の経皮送達デバイス。
【手続補正書】
【提出日】令和2年8月28日(2020.8.28)
【手続補正１】
【補正対象書類名】明細書
【補正対象項目名】０００２
【補正方法】変更
【補正の内容】
【０００２】
関連出願の相互参照
本出願は、２０１６年１０月２６日付け出願の米国仮出願第６２／４１２，９４５号の利益を主張し、その全体が参照により本明細書に組み込まれる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１６／０１５８２９号明細書
（特許文献２）  米国特許出願公開第２０１２／０２６９７２１号明細書
（特許文献３）  米国特許第７，５４１，４４０号明細書
（特許文献４）  米国特許出願公開第２０１０／０１８３５０４号明細書
（特許文献５）  米国特許第８，１８０，４３６号明細書
【手続補正書】
【提出日】令和2年8月28日(2020.8.28)
【手続補正１】
【補正対象書類名】明細書
【補正対象項目名】０００２
【補正方法】変更
【補正の内容】
【０００２】
関連出願の相互参照
本出願は、２０１６年１０月２６日付け出願の米国仮出願第６２／４１２，９３８号の利益を主張し、その全体が参照により本明細書に組み込まれる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１６／０１５８２９号明細書
（特許文献２）  米国特許出願公開第２０１０／０１８３５０４号明細書
（特許文献３）  米国特許第８，１８０，４３６号明細書
（特許文献４）  米国特許出願公開第２０１６／０１１１９９号明細書
（非特許文献）
（非特許文献１）  Ｈａｄｈａｚｙ  "Ｗｈａｔ  ａｒｅ  ｔｈｅ  ｌｉｍｉｔｓ  ｏｌ  ｈｕｍａｎ  ｖｉｓｉｏｎ"  ＢＢＣ  ｆｕｔｕｒｅ．２７  Ｊｕｌｙ  ２０１５  （２７．０７．２０１５）  ＜ｈｔｔｐ：／／ｗｗｗ．ｂｂｃ．ｃｏｍ／ｆｕｔｕｒｅ／ｓｔｏｒｙ／２０１５０７２７−ｗｈａｔ−ａｒｅ−ｔｈｅ−ｌｉｍｉｌｓ−ｏｆ−ｈｕｍａｎ−ｖｉｓｉｏｎ＞；  ｐｇ．２．ｐａｒａ  ５
（非特許文献２）  Ｆｌｕｏｒｏｐｈｏｒｅｓ．ｏｒｇ  "ｌＲＤｙｅ  ７００ＤＸ  ＮＨＳ  Ｅｓｔｅｒ"  Ｃｒｅａｔｅ  Ｄａｔｅ：  １１  Ｓｅｐｔｅｍｂｅｒ  ２０１６  （１１．０９．２０１６）  Ｄａｔｅ  Ａｃｃｅｓｓｅｄ：  １４  Ｄｅｃｅｍｂｅｒ  ２０１７  （１４．１２．２０１７）  ＜ｈｔｔｐｓ：／／ｗｅｂ．ａｒｃｈｉｖｅ．ｏｒｇ／ｗｅｂ／２０１６０９１１１３５０５７／ｈｔｔｐ：／ｌｖｗｖｗ．ｆｌｕｏｒｏｐｈｏｒｅｓ．ｔｕｇｒａｚ．ａｔ／ｓｕｂｓｔａｎｃｅ／１１６６＞；  ｐｇ．１
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
構造が、下記式I、
2019534289.tif 000001
（式中、
2019534289.tif 000002
Y-は、医薬的に許容可能なアニオンである。）
に示す構造に相当する化合物又はその医薬的に許容可能な塩。
【請求項２】
構造が、下記式Ia、
2019534289.tif 000003
（式中、Y-は、医薬的に許容可能なアニオンである。）
に相当する、請求項１に記載の化合物又はその医薬的に許容可能な塩。
【請求項３】
構造が、下記式Ib、
2019534289.tif 000004
（式中、Y-は、医薬的に許容可能なアニオンである。）
に相当する、請求項１に記載の化合物又はその医薬的に許容可能な塩。  
【請求項４】
構造が、下記式Ic、
2019534289.tif 000005
（式中、Y-は、医薬的に許容可能なアニオンである。）
に相当する、請求項１に記載の化合物又はその医薬的に許容可能な塩。
【請求項５】
生理学的に許容可能な希釈剤に溶解又は分散された、抗菌量の請求項１〜４のいずれか１項に記載の化合物又はその医薬的に許容可能な塩を含む医薬組成物。
【請求項６】
細菌感染哺乳動物を治療するための医薬組成物の製造における、請求項１〜４のいずれか１項に記載の化合物又はその医薬的に許容可能な塩の使用。
【請求項７】
前記細菌感染哺乳動物を感染させる細菌が、グラム陽性菌である、請求項６に記載の使用。
【請求項８】
前記グラム陽性菌が、黄色ブドウ球菌(S. aureus)、メチシリン耐性黄色ブドウ球菌(S. aureus)(MRSA)、VanAフェカリス菌(E. faecalis)、VanAフェシウム菌(E. faecium)、及びVanBフェカリス菌(E. faecalis)の1つ以上から成る群より選択される、請求項７に記載の使用。
【請求項９】
前記化合物が、その構造が、下記式、
2019534289.tif 000006
（式中、Y-は、医薬的に許容可能なアニオンである。）
に相当する化合物又はその医薬的に許容可能な塩である、請求項６に記載の使用。
【請求項１０】
前記化合物が、その構造が、下記式、
2019534289.tif 000007
（式中、Y-は、医薬的に許容可能なアニオンである。）
に相当する化合物又はその医薬的に許容可能な塩である、請求項６に記載の使用。
【請求項１１】
前記化合物が、その構造が、下記式、
2019534289.tif 000008
（式中、Y-は、医薬的に許容可能なアニオンである。）
に相当する化合物又はその医薬的に許容可能な塩である、請求項６に記載の使用。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
内向き表面を備える外側パネルと、
前記外側パネルに対して平行に延在する補強パネルであって、前記外側パネルの前記内向き表面に対向する外向き表面を備える、補強パネルと、
前記外側パネルの前記内向き表面に対して結合された第１振動減衰基材と、
前記補強パネルの前記外向き表面に対して結合された第２振動減衰基材とを備える、格納容器のための蓋体アセンブリ。
【請求項２】
前記補強パネルは、前記補強パネルの平面から外れて延在し、且つ、前記外側パネルと前記補強パネルとの間に複数の外側寄りの空間のポケットを形成する一本以上の補強溝を備え、
前記第１振動減衰基材及び前記第２振動減衰基材は、前記外側寄りの空間のポケットの内の少なくとも一つのポケット内に位置される、請求項１に記載の蓋体アセンブリ。
【請求項３】
前記第１振動減衰基材及び前記第２振動減衰基材の少なくとも一方は、基部層と外側層とを備える多層構造を備える、請求項１又は２に記載の蓋体アセンブリ。
【請求項４】
前記外側層は、前記基部層よりも大きな剛性を備える、請求項３に記載の蓋体アセンブリ。
【請求項５】
前記第１振動減衰基材及び前記第２振動減衰基材は、少なくとも２００℃までの温度に耐え得る非硬化性の耐熱性材料を備える、請求項１〜４のいずれか一項に記載の蓋体アセンブリ。
【請求項６】
前記第１振動減衰基材及び前記第２振動減衰基材の少なくとも一方は、少なくとも２枚の振動減衰基材を備える、請求項１〜５のいずれか一項に記載の蓋体アセンブリ。
【請求項７】
前記蓋体アセンブリは粉体塗装される、請求項１〜６のいずれか一項に記載の蓋体アセンブリ。
【請求項８】
内向き表面を備える外側パネルと、
前記外側パネルに対して平行に延在する補強パネルであって、
前記外側パネルの前記内向き表面に対向する外向き表面と、
前記補強パネルの平面から外れて延在し、且つ、前記外側パネルと前記補強パネルとの間に複数の外側寄りの空間のポケットを形成する一本以上の補強溝とを備える、補強パネルと、
前記外側寄りの空間のポケットの内の一つのポケット内で、前記外側パネルの前記内向き表面に対して結合された第１振動減衰基材と、
前記外側寄りの空間のポケットの内の一つのポケット内で、前記補強パネルの前記外向き表面に対して結合された第２振動減衰基材と、
前記補強パネルと前記外側パネルとの間において前記一本以上の補強溝の頂点に配置されたシーラント帯片とを備える、格納容器のための蓋体アセンブリ。
【請求項９】
前記第１振動減衰基材及び前記第２振動減衰基材の少なくとも一方は、基部層と外側層とを備える多層構造を備える、請求項８に記載の蓋体アセンブリ。
【請求項１０】
前記外側層は、前記基部層よりも大きな剛性を備える、請求項８又は９のいずれか一項に記載の蓋体アセンブリ。
【請求項１１】
前記第１振動減衰基材及び前記第２振動減衰基材は、少なくとも２００℃までの温度に耐え得る非硬化性の耐熱性材料を備える、請求項８〜１０のいずれか一項に記載の蓋体アセンブリ。
【請求項１２】
前記シーラント帯片は前記外側パネルに接触する、請求項８〜１１のいずれか一項に記載の蓋体アセンブリ。
【請求項１３】
前記第１振動減衰基材及び前記第２振動減衰基材の少なくとも一方は、少なくとも２枚の振動減衰基材を備える、請求項８〜１２のいずれか一項に記載の蓋体アセンブリ。
【請求項１４】
前記蓋体アセンブリは粉体塗装される、請求項８〜１３のいずれか一項に記載の蓋体アセンブリ。
【請求項１５】
前記第１振動減衰基材及び前記第２振動減衰基材は、夫々、前記外側パネル及び前記補強パネルに対して接着剤で結合される、請求項８〜１４のいずれか一項に記載の蓋体アセンブリ。
【請求項１６】
格納容器を作製する方法において、
前記方法は、
蓋体アセンブリを組立てる段階であって、
前記蓋体アセンブリの外側パネルの内向き表面に対して第１振動減衰基材を結合する段階と、
前記蓋体アセンブリの補強パネルの外向き表面に対して第２振動減衰基材を結合する段階と、
前記外側パネルの前記内向き表面が前記補強パネルの前記外向き表面に対向する様に、前記蓋体アセンブリの前記外側パネルを前記蓋体アセンブリの前記補強パネルに対して結合する段階とを備える段階と、
前記蓋体アセンブリを、前記格納容器の内部を形成する基礎部分に対して結合する段階と、を備える、格納容器を作製する方法。
【請求項１７】
組立てられた蓋体アセンブリを粉体塗装する段階を更に備える、請求項１６に記載の方法。
【請求項１８】
前記補強パネルは、前記補強パネルの平面から外れて延在し、且つ、前記外側パネルと前記補強パネルとの間に複数の外側寄りの空間のポケットを形成する一本以上の補強溝を備える、請求項１６又は１７に記載の方法。
【請求項１９】
前記補強パネルと前記外側パネルとの間において前記一本以上の補強溝の頂点にシーラント帯片を装着する段階を更に備える、請求項１８に記載の方法。
【請求項２０】
前記第１振動減衰基材及び前記第２振動減衰基材は、前記外側寄りの空間のポケットの内の少なくとも一つのポケット内に位置される、請求項１８又は１９に記載の方法。
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
水性分散液であって、
（ｉ）前記水性分散液の総重量に基づいて３０〜７０重量％のナノサイズの有機不溶性ＵＶ吸収体、
（ｉｉ）前記水性分散液の総重量に基づいて２〜１５重量％のＣ８〜１０アルキルポリグルコシド、
（ｉｉｉ）前記水性分散液の総重量に基づいて０〜３重量％の少なくとも１つの添加剤、および
（ｉｖ）前記水性分散液の総重量に基づいて２５〜６０重量％の水
から本質的になる水性分散液。
【請求項２】
前記ナノサイズの有機不溶性ＵＶ吸収体は、メチレンビス−ベンゾトリアゾリルテトラメチルブチルフェノールまたは２，４，６−トリス（ビフェニル−４−イル）−１，３，５−トリアジンであることを特徴とする、請求項１に記載の水性分散液。
【請求項３】
前記ナノサイズの有機不溶性ＵＶ吸収体は、２００ｎｍ未満の、光散乱によって決定される平均粒径分布Ｄｖ５０を有することを特徴とする、請求項１または２に記載の水性分散液。
【請求項４】
前記少なくとも１つの添加剤は、湿潤剤、シックナー、および消泡剤ならびにそれらの混合物からなる群から選択されることを特徴とする、請求項１〜３のいずれか一項に記載の水性分散液。
【請求項５】
前記少なくとも１つの添加剤は、プロピレングリコール、ケイ素泡止め剤、キサンタンガム、およびジェランガムならびにそれらの混合物からなる群から選択されることを特徴とする、請求項４に記載の水性分散液。
【請求項６】
前記Ｃ８〜１０アルキルポリグルコシドは、２：１〜１：２の範囲のカプリリル（Ｃ８）モノグルコシド対カプリル（Ｃ１０）モノグルコシドの比（％／％）を有することを特徴とする、請求項１〜５のいずれか一項に記載の水性分散液。
【請求項７】
請求項１〜６のいずれか一項に記載の水性分散液および少なくとも１つの無機マイクロ顔料を含む化粧品組成物であって、前記化粧品組成物は、いかなるＣ１２〜１６アルキルポリグルコシドも実質的にないことを特徴とする化粧品組成物。
【請求項８】
前記少なくとも１つの無機マイクロ顔料の量（合計）は、前記化粧品組成物の総重量に基づいて０．１〜４０重量％の範囲で選択されることを特徴とする、請求項７に記載の化粧品組成物。
【請求項９】
前記化粧品組成物における前記水性分散液の量は、前記化粧品組成物の総重量に基づいて０．１〜２０重量％の範囲で選択されることを特徴とする、請求項７または８に記載の化粧品組成物。
【請求項１０】
前記無機マイクロ顔料は、無機ＵＶフィルターまたは着色剤であることを特徴とする、請求項７〜９のいずれか一項に記載の化粧品組成物。
【請求項１１】
前記無機マイクロ顔料は、少なくとも１つのコーティングでコーティングされた二酸化チタンであることを特徴とする、請求項１０に記載の化粧品組成物。
【請求項１２】
前記二酸化チタンは、内側の水酸化アルミニウムまたは無機シリカコーティングならびにシメチコン、メチコン、ジメチコン、ポリシリコーン−１５、セチルリン酸、ステアリン酸、およびそれらの混合物からなる群から選択される外側の有機コーティングを有する二重コーティング二酸化チタンであることを特徴とする、請求項１１に記載の化粧品組成物。
【請求項１３】
前記着色剤は、．００１〜１５０μｍの範囲で選択される粒径を有する酸化鉄または二酸化チタンであることを特徴とする、請求項１０に記載の化粧品組成物。
【請求項１４】
前記化粧品組成物は、水性相中に分散した油性相を含む水中油型（Ｏ／Ｗ）エマルションであることを特徴とする、請求項７〜１３のいずれか一項に記載の化粧品組成物。
【請求項１５】
前記組成物は、日焼け止めまたはメーキャップ組成物／ファンデーション組成物であることを特徴とする、請求項７〜１４のいずれか一項に記載の化粧品組成物。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
配列ＡＰＬＰＲＷＳＧＰＩＧＶＳＷＧＬＲ（配列番号２）のペプチド（スパジン）に対するポリクローナル抗体（ＡＢ１）であって、
前記抗体は、ペプチドＧＶＳＷＧＬＲ（配列番号６）を唯一の例外として、ＱＤＲＬＤＡＰＰＰＰＡＡＰＬＰＲＷＳＧＰＩＧＶＳＷＧＬＲＡＡＡＡＧＧＡＦＰＲＧＧＲＷＲＲ（配列番号１）、ＡＰＬＰＲＷＳＧＰＩＧＶＳＷＧＬＲ（配列番号２）、ＡＰＬＰＲＷＳＧＰＩＧＶＳＷＧＬ（配列番号３）、ＬＰＲＷＳＧＰＩＧＶＳＷ（配列番号４）およびＷＳＧＰＩ（配列番号５）を含む群から選択されるペプチドに結合する、ポリクローナル抗体（ＡＢ１）。
【請求項２】
配列ＧＶＳＷＧＬＲ（配列番号６）を含むペプチド（ミニスパジン）に対する、ポリクローナル抗体（ＡＢ２）。
【請求項３】
前記抗体は、ＱＤＲＬＤＡＰＰＰＰＡＡＰＬＰＲＷＳＧＰＩＧＶＳＷＧＬＲＡＡＡＡＧＧＡＦＰＲＧＧＲＷＲＲ（配列番号１）、ＡＰＬＰＲＷＳＧＰＩＧＶＳＷＧＬＲ（配列番号２）およびＧＶＳＷＧＬＲ（配列番号６）を含む群から選択されるペプチドに結合する、請求項２に記載のポリクローナル抗体。
【請求項４】
請求項１に記載の抗体を生成するための方法であって、
ａ．配列ＡＰＬＰＲＷＳＧＰＩＧＶＳＷＧＬＲ（配列番号２）のペプチドを含む組成物の動物への投与、
ｂ．前記動物からの抗体の回収、および
ｃ．前記抗体の単離
を含む、抗体を生成するための方法。
【請求項５】
請求項２または３のいずれか一項に記載の抗体を生成するための方法であって、
ａ．配列ＧＶＳＷＧＬＲ（配列番号６）のペプチドを含む組成物の動物への投与、
ｂ．前記動物からの抗体の回収、および
ｃ．前記抗体の単離
を含む、抗体を生成するための方法。
【請求項６】
生体試料中のスパジンの検出および／またはアッセイのための、請求項１〜３のいずれか一項に記載の抗体のｉｎ  ｖｉｔｒｏでの使用。
【請求項７】
生体試料中のミニスパジンの検出のための、請求項２〜３のいずれか一項に記載の抗体のｉｎ  ｖｉｔｒｏでの使用。
【請求項８】
うつ状態の検出のために個体の生体試料から配列番号１のペプチドを検出するための、請求項１〜３のいずれか一項に記載の抗体のｉｎ  ｖｉｔｒｏでの使用。
【請求項９】
患者におけるうつ病を検出／決定するためのｉｎ  ｖｉｔｒｏ法であって、以下のステップ
ａ．うつ病個体の生体試料中における、請求項１〜３のいずれか一項に記載の抗体を用いた配列ＱＤＲＬＤＡＰＰＰＰＡＡＰＬＰＲＷＳＧＰＩＧＶＳＷＧＬＲＡＡＡＡＧＧＡＦＰＲＧＧＲＷＲＲ（配列番号１）のペプチドの濃度（Ｃｍ）の測定のステップ、
ｂ．ステップａ）で測定された前記ペプチドの前記濃度と健康な個体の基準濃度（Ｃｒｅｆ）との比較、および以下の式
Ｓ１＝Ｃｍ／Ｃｒｅｆ
に従ったスコア（Ｓ１）の算出のステップ
を含み、
１未満のＳ１の値は、前記試料が得られた個体がうつ病であることを示唆する、ｉｎ  ｖｉｔｒｏ法。
【請求項１０】
うつ病治療の有効性を監視するための方法であって、
ａ）個体の生体試料中で、請求項１〜３のいずれか一項に記載の抗体を用いて配列ＱＤＲＬＤＡＰＰＰＰＡＡＰＬＰＲＷＳＧＰＩＧＶＳＷＧＬＲＡＡＡＡＧＧＡＦＰＲＧＧＲＷＲＲ（配列番号１）のペプチドの濃度Ｃ１を測定することと、
ｂ）前記治療後に前記個体の生体試料中で、請求項１〜４のいずれか一項に記載の抗体を用いて配列ＱＤＲＬＤＡＰＰＰＰＡＡＰＬＰＲＷＳＧＰＩＧＶＳＷＧＬＲＡＡＡＡＧＧＡＦＰＲＧＧＲＷＲＲ（配列番号１）のペプチドの濃度Ｃ２を測定することと、
ｃ）前記濃度値を比較して、以下の式
Ｓ２＝Ｃ２／Ｃ１
に従ってスコア（Ｓ２）を算出することと
を含み
１．２より高いＳ２の値は、その治療が抗うつに有効であることを示唆する、方法。
【手続補正２】
【補正対象書類名】明細書
【補正対象項目名】００７９
【補正方法】変更
【補正の内容】
【００７９】
本発明はまた、患者におけるうつ病を検出／決定するためのｉｎ  ｖｉｔｒｏ法にも関し、以下のステップ：
ａ．個体の生体試料中の配列ＱＤＲＬＤＡＰＰＰＰＡＡＰＬＰＲＷＳＧＰＩＧＶＳＷＧＬＲＡＡＡＡＧＧＡＦＰＲＧＧＲＷＲＲ（配列番号１）のペプチドの濃度（Ｃｍ）を測定するステップ
ｂ．ステップａ）で測定されたペプチドの濃度（Ｃｍ）を健康な個体の基準濃度（Ｃｒｅｆ）と比較するステップ、および以下の式
Ｓ１＝Ｃｍ／Ｃｒｅｆ
に従ってスコア（Ｓ１）を算出するステップ
を含み、
１未満のＳ１の値は、その試料が得られた個体がうつ病であることを示唆する。
【手続補正３】
【補正対象書類名】明細書
【補正対象項目名】００８７
【補正方法】変更
【補正の内容】
【００８７】
したがって、本発明はまた、うつ病治療の有効性を監視するための方法にも関し、以下
ａ）うつ病個体の生体試料中の配列ＱＤＲＬＤＡＰＰＰＰＡＡＰＬＰＲＷＳＧＰＩＧＶＳＷＧＬＲＡＡＡＡＧＧＡＦＰＲＧＧＲＷＲＲ（配列番号１）のペプチドの濃度Ｃ１を測定することと、
ｂ）該治療後に該個体の生体試料中の配列ＱＤＲＬＤＡＰＰＰＰＡＡＰＬＰＲＷＳＧＰＩＧＶＳＷＧＬＲＡＡＡＡＧＧＡＦＰＲＧＧＲＷＲＲ（配列番号１）のペプチドの濃度Ｃ２を測定することと、
ｃ）濃度値を比較して、以下の式
Ｓ２＝Ｃ２／Ｃ１
に従ってスコア（Ｓ２）を算出することと
を含み、
１．２より高いＳ２の値は、その治療が抗うつに有効であることを示唆する。
【誤訳訂正書】
【提出日】令和2年8月4日(2020.8.4)
【誤訳訂正１】
【訂正対象書類名】明細書
【訂正対象項目名】０２１３
【訂正方法】変更
【訂正の内容】
【０２１３】
（実施例Ｉ）
実施例Ｉ−Ａ、及びＢの多相口腔用組成物を、上記の手順を使用して作製し、３５％の過酸化水素の水溶液にて配合した。本明細書で明記された手順を使用して、次のパラメータが、実施例−Ｉ−Ｂにおいて測定された。ａ）二次元平面の平方センチメートル当たり約１００００平方ミクロンよりも大きい断面領域を伴う、多相口腔用組成物の水相の、二次元の液滴密度、ｂ）過酸化物試験ストリップ上に塗抹された多相口腔用組成物の過酸化物濃度の標準偏差、ｃ）過酸化物試験ストリップ上に塗抹された多相口腔用組成物の過酸化物濃度の平均。
【誤訳訂正２】
【訂正対象書類名】明細書
【訂正対象項目名】０２１４
【訂正方法】変更
【訂正の内容】
【０２１４】
【表４】
2019534274.tif 000001
＊組成物全体中に存在するＨ２Ｏ２の重量パーセントにおける濃度に対する、水相中に存在するＨ２Ｏ２の重量パーセントにおける濃度の比率
１Ｓｏｌｖａｙ（ヒューストン、テキサス州）からの、ｕｌｔｒａ  Ｃｏｓｍｅｔｉｃ  Ｇｒａｄｅ
２Ｓｏｎｎｅｂｏｒｎ  ＬＬＣ（パーシッパニー、ニュージャージー州）からの、Ｇ−２１９１Ｇｒａｄｅ
【誤訳訂正３】
【訂正対象書類名】特許請求の範囲
【訂正対象項目名】全文
【訂正方法】変更
【訂正の内容】
【特許請求の範囲】
【請求項１】
１つ以上の有効成分を送達するための多相口腔用組成物であって、
ａ）有効成分を含む、前記多相口腔用組成物の０．００２重量％〜１５重量％の水相と、
ｂ）前記多相口腔用組成物の、５０重量％超のワセリンである疎水性相と、を含み、
前記多相口腔用組成物全体に存在する有効成分の重量パーセントでの濃度に対する、前記水相中に存在する有効成分の重量パーセントでの濃度の比率が、少なくとも６であり、
前記有効成分の濃度が、前記多相口腔用組成物の１０％以下であり、かつ
前記多相口腔用組成物が、油中水型エマルションである、多相口腔用組成物。
【請求項２】
前記多相口腔用組成物全体中に存在する有効成分の重量パーセントでの前記濃度に対する、前記水相中に存在する有効成分の重量パーセントでの前記濃度の前記比率が、少なくとも１０である、請求項１に記載の多相口腔用組成物。
【請求項３】
前記多相口腔用組成物全体中に存在する有効成分の重量パーセントでの前記濃度に対する、前記水相中に存在する有効成分の重量パーセントでの前記濃度の前記比率が、少なくとも３０である、請求項２に記載の多相口腔用組成物。
【請求項４】
前記有効成分の量が、前記多相口腔用組成物の１重量％〜５重量％の範囲である、請求項１に記載の多相口腔用組成物。
【請求項５】
前記疎水性相又は前記多相口腔用組成物の円錐貫入稠度値が、ＡＳＴＭ  Ｄ９３７−０７により測定された際に１００〜３００である、請求項１に記載の多相口腔用組成物。
【請求項６】
前記疎水性相又は前記多相口腔用組成物の前記円錐貫入稠度値が、ＡＳＴＭ  Ｄ９３７−０７により測定された際に１００〜２５０である、請求項５に記載の多相口腔用組成物。
【請求項７】
前記疎水性相の滴下融点が、ＡＳＴＭ  Ｄ１２７−０８により測定された際に、４０℃〜８０℃である、請求項１に記載の多相口腔用組成物。
【請求項８】
前記疎水性相の前記滴下融点が、ＡＳＴＭ  Ｄ１２７−０８により測定された際に、５０℃〜８０℃である、請求項７に記載の多相口腔用組成物。
【請求項９】
１００００平方ミクロンよりも大きい断面領域を伴う二次元の液滴密度が、平方センチメートル当たり２０以下である、請求項１に記載の多相口腔用組成物。
【請求項１０】
１００００平方ミクロンよりも大きい断面領域を伴う前記二次元の液滴密度が、平方センチメートル当たり１０以下である、請求項９に記載の多相口腔用組成物。
【請求項１１】
前記多相口腔用組成物は、有効成分としての過酸化物を含み、過酸化物試験ストリップ上に塗抹された前記多相口腔用組成物の過酸化物の濃度の標準偏差が５０以下である、請求項１に記載の多相口腔用組成物。
【請求項１２】
過酸化物試験ストリップ上に塗抹された前記多相口腔用組成物の前記過酸化物の濃度の前記標準偏差が２５以下である、請求項１１に記載の多相口腔用組成物。
【請求項１３】
前記多相口腔用組成物は、有効成分としての過酸化物を含み、過酸化物試験ストリップ上に塗抹された前記多相口腔用組成物の平均過酸化物濃度が１〜１００である、請求項１に記載の多相口腔用組成物。
【請求項１４】
前記多相口腔用組成物は、有効成分としての過酸化物を含み、歯の上に塗抹された前記多相口腔用組成物の平均残留過酸化物濃度が２０〜２００である、請求項１に記載の多相口腔用組成物。
【請求項１５】
前記有効成分が、再石灰化剤、抗結石剤、フッ化物イオン源、抗菌剤、歯科用減感剤、麻酔剤、抗真菌剤、抗炎症剤、選択的Ｈ−２拮抗剤、選択的ＴＲＰＭ８−拮抗剤、抗カリエス剤、栄養素、エリスリトール、又はプロバイオティクスのうちの少なくとも１つを含む、請求項１に記載の多相口腔用組成物。
【請求項１６】
−Δｂ＊として算出された、臨床的プロトコル当たりで測定される、前記多相口腔用組成物の有効性が、少なくとも１．５である、請求項１に記載の多相口腔用組成物。
【請求項１７】
前記多相口腔用組成物全体中に存在する漂白剤の重量パーセントに対する、−Δｂ＊として算出された、臨床プロトコル当たりで測定された、前記多相口腔用組成物中の漂白有効性の比率が、少なくとも１．５である、請求項１に記載の多相口腔用組成物。
【請求項１８】
送達支持材料を含む、請求項１に記載の多相口腔用組成物。
【請求項１９】
前記送達支持材料がストリップである、請求項１８に記載の多相口腔用組成物。
【誤訳訂正書】
【提出日】令和2年8月4日(2020.8.4)
【誤訳訂正１】
【訂正対象書類名】明細書
【訂正対象項目名】０２３３
【訂正方法】変更
【訂正の内容】
【０２３３】
【表１１】
2019534275.tif 000001
＊組成物全体中に存在するＨ２Ｏ２の重量パーセントにおける濃度に対する、水相中に存在するＨ２Ｏ２の重量パーセントにおける濃度の比率
１Ｓｏｌｖａｙ（ヒューストン、テキサス州）からの、ｕｌｔｒａ  Ｃｏｓｍｅｔｉｃ  Ｇｒａｄｅ
２Ｓｏｎｎｅｂｏｒｎ  ＬＬＣ（パーシッパニー、ニュージャージー州）からの、Ｇ−２１９１Ｇｒａｄｅ
【誤訳訂正２】
【訂正対象書類名】特許請求の範囲
【訂正対象項目名】全文
【訂正方法】変更
【訂正の内容】
【特許請求の範囲】
【請求項１】
ａ）ストリップ、歯科用トレイ、スポンジ材料、及びこれらの混合物からなる群から選択される送達支持材料と、
ｂ）歯をホワイトニングするための多相口腔用組成物であって、
ｉ．漂白剤を含む、前記多相口腔用組成物の０．００２重量％〜３０重量％の非連続性の水相と、
ｉｉ．連続性の疎水性相と、を含む、多相口腔用組成物と、
ｃ）２００ｎｍ〜１７００ｎｍの範囲での１つ以上の波長を伴う電磁放射線を、少なくとも１本の歯に向かって方向付けることを可能にする、電磁放射線源と、を含み、かつ
前記漂白剤の濃度が、前記多相口腔用組成物の１０重量％以下であり、
前記連続性の疎水性相が、前記多相口腔用組成物の優勢部分であり、
前記多相口腔用組成物が、油中水型エマルションである、キット。
【請求項２】
前記多相口腔用組成物全体中に存在する漂白剤の重量パーセントでの濃度に対する、前記水相中に存在する漂白剤の重量パーセントでの濃度の比率が、少なくとも１０である、請求項１に記載のキット。
【請求項３】
前記多相口腔用組成物全体中に存在する漂白剤の重量パーセントでの濃度に対する、前記水相中に存在する漂白剤の重量パーセントでの濃度の比率が、少なくとも５０である、請求項２に記載のキット。
【請求項４】
前記漂白剤の量が、前記多相口腔用組成物の０．０１重量％〜０．０９５重量％の範囲である、請求項１に記載のキット。
【請求項５】
前記疎水性相又は前記多相口腔用組成物の円錐貫入稠度値が、ＡＳＴＭ  Ｄ９３７−０７により測定された際に１００〜３００である、請求項１に記載のキット。
【請求項６】
前記疎水性相又は前記多相口腔用組成物の前記円錐貫入稠度値が、ＡＳＴＭ  Ｄ９３７−０７により測定された際に１００〜２５０である、請求項５に記載のキット。
【請求項７】
前記疎水性相の滴下融点が、ＡＳＴＭ  Ｄ１２７−０８により測定された際に、４０℃〜８０℃である、請求項１に記載のキット。
【請求項８】
本明細書で明記された手順を使用して測定された、１００００平方ミクロンよりも大きい断面領域を伴う二次元の液滴密度が、平方センチメートル当たり２０以下である、請求項１に記載のキット。
【請求項９】
本明細書で明記された前記手順を使用して測定された、１００００平方ミクロンよりも大きい断面領域を伴う前記二次元の液滴密度が、平方センチメートル当たり１０以下である、請求項８に記載のキット。
【請求項１０】
本明細書に明記された手順を使用して測定された、過酸化物試験ストリップ上に塗抹された前記多相口腔用組成物の過酸化物濃度の標準偏差が、５０以下である、請求項１に記載のキット。
【請求項１１】
本明細書に明記された前記手順を使用して測定された、過酸化物試験ストリップ上に塗抹された前記多相口腔用組成物の前記過酸化物濃度の前記標準偏差が、２５以下である、請求項１０に記載のキット。
【請求項１２】
本明細書に明記された手順を使用して測定された、酸化物試験ストリップ上に塗抹された前記多相口腔用組成物の平均過酸化物濃度が、１〜１００である、請求項１に記載のキット。
【請求項１３】
本明細書に明記された手順を使用して測定された、歯の上に塗抹された前記多相口腔用組成物の平均残留過酸化物濃度が、２０〜２００である、請求項１に記載のキット。
【請求項１４】
前記多相口腔用組成物中の前記漂白剤が、過酸化水素を含む、請求項１に記載のキット。
【請求項１５】
前記疎水性相が、ワックスで増粘された鉱油、ポリエチレンで増粘された鉱油、またはワセリンのうちの少なくとも１つを含む、請求項１に記載のキット。
【請求項１６】
−Ａｂ＊として算出され、かつ本明細書にて開示されたように臨床プロトコル当たりで測定された、前記多相口腔用組成物中の漂白有効性が、少なくとも１．５である、請求項１に記載のキット。
【請求項１７】
前記多相口腔用組成物全体中に存在する漂白剤の重量パーセントに対する、−Δｂ＊として算出され、かつ本明細書にて開示されたように臨床プロトコル当たりで測定された、前記多相口腔用組成物中の漂白有効性の比率が、少なくとも１．５である、請求項１に記載のキット。
【請求項１８】
前記送達支持材料が、歯科用トレイである、請求項１に記載のキット。
【請求項１９】
前記送達支持材料がストリップであり、前記ストリップは、変形可能なプラスチック又はワックスから作製される、請求項１に記載のキット。
【請求項２０】
前記電磁放射線源が、４００ｎｍ〜５００ｎｍの範囲の電磁放射線を放出し、本明細書に記載された手順を使用して測定された１７５ｍＷ／ｃｍ２〜２２５ｍＷ／ｃｍ２の範囲にて、少なくとも１本の歯における前記送達支持材料の外側表面上に衝突する、請求項１８に記載の、歯をホワイトニングするためのキット。
【請求項２１】
前記非連続性の水相が、前記連続性の疎水性相中に液滴として分散される、請求項１に記載の、歯をホワイトニングするためのキット。
【請求項２２】
前記多相口腔用組成物が、前記多相口腔用組成物の、０重量％〜０．５重量％の乳化剤を含む、請求項１に記載の、歯をホワイトニングするためのキット。
【請求項２３】
前記連続性の疎水性相が、ワセリンを含む、請求項１に記載の、歯をホワイトニングするためのキット。
【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
1つ以上の生プロバイオティクス細菌株1重量%〜20重量%と、1つ以上の揮発性シロキサンと、加圧下にある噴霧剤とを含むエアロゾルスプレー。
【請求項２】
前記1つ以上の生プロバイオティクス細菌株は、休止状態の細菌、若しくは休止状態のプロバイオティクス、若しくは休止状態の乳酸菌である、請求項1に記載のエアロゾルスプレー。
【請求項３】
前記1つ以上の揮発性シロキサンは、ジメチコン、ジメチコノール、フェニルトリメチコン及びそれらの誘導体で代表される線状シロキサン、又はシクロメチコン及びその誘導体で代表される環状シロキサン、又はシクロメチコン及びその誘導体で代表される環状シロキサンを含むリストから選択される、請求項1又は2に記載のエアロゾルスプレー。
【請求項４】
前記細菌株及び前記揮発性シロキサンは、粉末、懸濁液、エマルジョン又は溶液の形態で混合物を形成する、請求項1〜3のいずれか一項に記載のエアロゾルスプレー。
【請求項５】
前記加圧下にある噴霧剤は、液化ガス噴霧剤、又はメタン、エタン、プロパン、イソプロパン、ブタン、n-ブタン、ペンタン及びn-ペンタンで代表される1つ以上の炭化水素である、請求項1〜4のいずれか一項に記載のエアロゾルスプレー。
【請求項６】
沈降防止剤及び／又は凝集防止剤を更に含む、請求項1〜5のいずれか一項に記載のエアロゾルスプレー。
【請求項７】
前記沈降防止剤及び／又は凝集防止剤は、ベントナイト若しくはヘクトライトを含有するオルガノクレイゲル等の無機ポリマー、及び／又はアエロジルで代表されるヒュームドシリカ類のリストから選択される、請求項6に記載のエアロゾルスプレー。
【請求項８】
1つ以上の皮膚軟化薬、懸濁剤、保湿剤、酸化防止剤、保水剤、乳化剤、粘度改質剤、香料、又は他の賦形剤を更に含む、請求項1〜7のいずれか一項に記載のエアロゾルスプレー。
【請求項９】
前記エアロゾルスプレーの内容物は、噴霧剤少なくとも50重量%、シロキサン1重量%〜20重量%、乳酸菌1重量%〜20重量%、沈降防止剤及び／又は凝集防止剤0.1重量%〜5重量%並びに請求項8に列挙する他の賦形剤0重量%〜5重量%からなる、請求項1〜8のいずれか一項に記載のエアロゾルスプレー。
【請求項１０】
前記エアロゾルスプレーの内容物は、噴霧剤少なくとも75重量%、シクロメチコン5重量%〜10重量%、乳酸菌1重量%〜10重量%及びベントンゲル0.1重量%〜5重量%からなる、請求項1〜9のいずれか一項に記載のエアロゾルスプレー。
【請求項１１】
内容物は、噴霧剤少なくとも75重量%、シクロメチコン5重量%〜10重量%、乳酸菌1重量%〜10重量%及びアエロジル0.1重量%〜5重量%からなる、請求項1〜10のいずれか一項に記載のエアロゾルスプレー。
【請求項１２】
水及び防腐剤を実質的に含まない、請求項1〜11のいずれか一項に記載のエアロゾルスプレー。
【請求項１３】
前記1つ以上の生プロバイオティクス細菌株を、表面に、又は環境へ塗布することに使用される治療用の薬剤を製造するための、請求項1〜12のいずれか一項に記載のエアロゾルスプレーの使用。
【請求項１４】
健常な皮膚の微生物叢を回復及び／又は維持することに使用される請求項1〜12のいずれか一項に記載のエアロゾルスプレー。
【請求項１５】
健常な皮膚の微生物叢を回復及び／又は維持することに使用される治療用の薬剤を製造するための、請求項1〜12のいずれか一項に記載のエアロゾルスプレーの使用。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
式（Ｉ）：
Ａ−Ｔｈｒ−Ｌｙｓ−Ｈｙｐ−Ｂ−Ｃ−Ｄ−Ｘ（配列番号８）      式（Ｉ）
からなるペプチドまたは薬学的に許容されるその塩。
（式中、
Ａは、非存在、Меｔ、Меｔ（Ｏ）、Тｈｒ、Аｌａ、Ｈｉｓ、Ｐｈｅ、Ｌｙｓ、またはＧｌｙであり；
Ｂは、非存在、Ｇｌｙ、Ａｓｐ、Ｔｒｐ、Ｇｌｎ、Ａｓｎ、Ｔｙｒ、Ｈｙｐ、またはＡｒｇであり；
Ｃは、非存在、Аｒｇ、Рｈе、Тｙｒ、Ｇｌｙ、Нｉｓ、Ｈｙｐ、またはＬｙｓであり；
Ｄは、非存在、Ｖａｌ、Ｇｌｙ、Тｙｒ、Тｒｐ、Рｈｅ、またはНｉｓであり；
Ｘは、ОН、ОСН３、またはＮＨ２基であり；
（ｉ）Ａが存在する場合、Ｂ、Ｃ、Ｄの少なくともいずれかも存在するか、または、Ｂが存在する場合、Ｃ、Ｄの少なくともいずれかも存在し、（ｉｉ）ペプチドはテトラペプチドРｈｅ−Тｈｒ−Ｌｙｓ−Ｈｙｐ−Ｇｌｙ、Тｈｒ−Ｌｙｓ−Ｈｙｐ−Ｈｙｐ−АｒｇおよびТｈｒ−Ｌｙｓ−Ｈｙｐ−Аｒｇ−Ｇｌｙではない。）
【請求項２】
ペプチドがＴｈｒ−Ｌｙｓ−Ｈｙｐ−Ａｒｇ−Ｈｙｐ−Ｘ（配列番号１２）である、請求項１に記載のペプチドまたは薬学的に許容されるその塩。
【請求項３】
ペプチドがＴｈｒ−Ｌｙｓ−Ｈｙｐ−Ａｒｇ−Ｈｙｐ−Ｐｈｅ−Ｘ（配列番号１３）である、請求項１に記載のペプチドまたは薬学的に許容されるその塩。
【請求項４】
ペプチドがＴｈｒ−Ｌｙｓ−Ｈｙｐ−Ｘである、請求項１に記載のペプチドまたは薬学的に許容されるその塩。
【請求項５】
ペプチドがＴｈｒ−Ｌｙｓ−Ｈｙｐ−Ａｒｇ−Ｇｌｙ−Ｘ（配列番号１１）である、請求項１に記載のペプチドまたは薬学的に許容されるその塩。
【請求項６】
請求項１〜５のいずれか１項に記載のペプチドまたは薬学的に許容されるその塩、ならびに、少なくとも１つの薬学的に許容される賦形剤を含む医薬組成物であって、ここにおいて前記ペプチドは性機能および生殖器機能の刺激に有効な量で組成物中に存在する、医薬組成物。
【請求項７】
前記薬学的に許容される賦形剤は、ビヒクル、保存剤、および／または溶媒である、請求項６に記載の医薬組成物。
【請求項８】
液体剤形である請求項６に記載の医薬組成物。
【請求項９】
前記液体剤形は鼻腔内投与用の液剤である、請求項８に記載の医薬組成物。
【請求項１０】
２〜２０ｇ／ｌの前記ペプチド、０．０９５〜０．１０５ｇ／ｌの塩化ベンザルコニウムを含む、請求項９に記載の医薬組成物。
【請求項１１】
２〜２０ｇ／ｌの前記ペプチド、０．０９５〜０．１０５ｇ／ｌの塩化ベンザルコニウムを含む、請求項６に記載の医薬組成物。
【請求項１２】
鼻腔内投与用のスプレー剤である請求項６に記載の医薬組成物。
【請求項１３】
女性の性機能障害、ＨＳＤＤ、ＦＳＡＤまたはＦＳＩＡＤの治療および／または予防方法のための医薬を製造するための請求項６に記載の医薬組成物の使用であって、前記方法は請求項６に記載の医薬組成物を患者に投与することを含む、使用。
【請求項１４】
前記性機能障害は性欲減退または性欲の完全欠如を特徴とする、請求項１３に記載の使用。
【請求項１５】
前記性機能障害はオルガスム機能障害である、請求項１３に記載の使用。
【請求項１６】
前記性機能障害は性交への嫌悪感および性的満足感の欠如を特徴とする、請求項１３に記載の使用。
【請求項１７】
前記性機能障害は腟痙、排尿障害またはヒポリビデミアである、請求項１３に記載の使用。
【請求項１８】
前記医薬組成物は鼻腔内に投与される、請求項１３に記載の使用。
【請求項１９】
必要とされる患者の性機能および生殖器機能の刺激方法のための医薬を製造するための請求項１〜５のいずれか１項に記載のペプチドの使用であって、前記方法は有効量の請求項１〜５のいずれか１項に記載のペプチドを患者に投与することを含む、使用。
【請求項２０】
女性の性機能障害、ＨＳＤＤ、ＦＳＡＤまたはＦＳＩＡＤの治療および／または予防方法のための医薬を製造するための医薬を製造するための請求項１〜５のいずれか１項に記載のペプチドの使用であって、前記方法は有効量の請求項１〜５のいずれか１項に記載のペプチドを患者に投与することを含む、使用。
【請求項２１】
前記性機能障害は性欲減退または性欲の完全欠如を特徴とする、請求項２０に記載の使用。
【請求項２２】
前記性機能障害はオルガスム機能障害である、請求項２０に記載の使用。
【請求項２３】
前記性機能障害は性交への嫌悪感および性的満足感の欠如を特徴とする、請求項２０に記載の使用。
【請求項２４】
前記性機能障害は腟痙、排尿障害またはヒポリビデミアである、請求項２０に記載の使用。
【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
約１６．２％〜約１９．８％のエフロルニチン塩酸塩水和物と、水と、１以上の薬学的に許容される賦形剤とを備え、経口投与用溶液であることを特徴とする、医薬組成物。
【請求項２】
前記溶液は、約１８％のエフロルニチン塩酸塩水和物を備える、請求項１に記載の医薬組成物。
【請求項３】
前記組成物が、
（ａ）約１６．２％〜約１９．８％のエフロルニチン塩酸塩水和物、
（ｂ）約０．１３５％〜約０．１６５％の保存剤、
（ｃ）約０．１３５％〜約０．１６５％の甘味剤、
（ｄ）約２．７％〜約３．３％の第１の増粘剤、
（ｅ）約４．５〜約５．５％の第２の増粘剤、および
（ｆ）１００％となるように加えられる精製水
を含む、請求項１に記載の医薬組成物。
【請求項４】
前記保存剤は安息香酸ナトリウムである、請求項３に記載の医薬組成物。
【請求項５】
前記甘味剤はサッカリンナトリウム二水和物である、請求項３に記載の医薬組成物。
【請求項６】
前記第１の増粘剤はグリセロールである、請求項３に記載の医薬組成物。
【請求項７】
前記第２の増粘剤はプロピレングリコールである、請求項３に記載の医薬組成物。
【請求項８】
前記組成物が、
（ａ）約１８％のエフロルニチン塩酸塩水和物、
（ｂ）約０．１５％の安息香酸ナトリウム、
（ｃ）約０．１５％のサッカリンナトリウム二水和物、
（ｄ）約３．０％のグリセロール、
（ｅ）約５．０％のプロピレングリコール、および
（ｆ）１００％となるように加えられる精製水
を含む、請求項３に記載の医薬組成物。
【請求項９】
請求項１に記載の医薬組成物を必要とする患者に投与する方法を含む、神経膠腫の治療方法。
【請求項１０】
前記神経膠腫は未分化星状細胞腫である、請求項９に記載の方法。
【手続補正２】
【補正対象書類名】明細書
【補正対象項目名】発明の名称
【補正方法】変更
【補正の内容】
【発明の名称】医薬組成物およびその投与方法